【手続補正書】
【提出日】平成19年3月22日(2007.3.22)
【手続補正１】
【補正対象書類名】特許請求の範囲
【補正対象項目名】全文
【補正方法】変更
【補正の内容】
【特許請求の範囲】
【請求項１】
気配値情報にて現在値が一往復した地点に分岐点を設定し、現在値が一往復した地点で売り注文数量と買い注文数量を全体数量とした売り注文数量と買い注文数量を割合で表示したマーク。
【請求項２】
気配値情報にて現在値が変動した地点に分岐点を設定し、現在値が変動した地点で売り注文の数量と買い注文の数量を全体数量とした売り注文の数量と買い注文の数量を割合で表示したマーク。
【請求項３】
気配値情報にて直近の売買注文数量が増減した地点に分岐点を設定し、直近の売買注文数量が増減した地点で売り注文数量と買い注文数量を全体数量とした売り注文数量と買い注文数量を割合で表示したマーク。
【請求項４】
気配値情報にて直近の買い注文数量が増減した地点に分岐点を設定し、直近の買い注文数量が増減した地点で売り注文数量と買い注文数量を全体数量とした売り注文数量と買い注文数量を割合で表示したマーク。
【請求項５】
気配値情報にて直近の売り注文数量が増減した地点に分岐点を設定し、直近の売り注文数量が増減した地点で売り注文数量と買い注文数量を全体数量とした売り注文数量と買い注文数量を割合で表示したマーク。
【手続補正２】
【補正対象書類名】明細書
【補正対象項目名】全文
【補正方法】変更
【補正の内容】
【発明の詳細な説明】
【発明の名称】気配値情報を割合で表示するマーク
【技術分野】
【０００１】本発明は、気配値情報の気配値の売買注文数量の変動と株価の動きには相関が存在し、株価の方向性を掴むことが出来る情報であります。直近の買い注文数量が増加することで買い気配値は上がり、その後、変動した買い気配値に段階的に買い注文の数量が増加する、又は、直近の売り注文数量を減少することで売り気配値は上がり、その後、変動した売り気配値に段階的に売り注文の数量が減少することで現在値を押し上げます。直近の買い注文数量が減少することで買い気配値は下がり、その後、変動した買い気配値に段階的に買い注文の数量が減少する、又は、直近の売り注文数量を増加することで売り気配値は下がり、その後、変動した売り気配値に段階的に売り注文の数量が増加することで現在値を押し下げるというのが基本的な考え方です。気配値情報に分岐点を設定し、マーク化することで株価の方向性を掴む為の研究資料として残すことが出来るようにする為に気配値情報に分岐点を設けてマーク化したものです。本発明は、株取引の中の日計り取引で活用する事が出来るようにしたものである。
【背景技術】
【０００２】気配値情報は、投資家の心の動きが投影される重要な情報であり、株価の方向性を掴むことができますが資料として残されていません。
【発明の開示】
【発明が解決しようとする課題】
【０００３】気配値情報の気配値の売買注文数量の変動と株価の動きには相関があり、株価の方向性を掴む為の研究資料として残すことが必要でありますが現在どのようにして気配値情報を観察したらよいのか、又は、どのようにして資料として残すのかわかりません。従来の気配値情報は株価の方向性を掴む為の重要な情報であるにも係らず、この情報を資料として役立たせていないという問題点があります。本発明は、この課題を解消する為になされたものであります。
【課題を解決するための手段】
【０００４】配信元の気配値情報をベースとして分岐点を設定します。
［請求項１］  現在値が一往復した地点に分岐点１を設定する。
［請求項２］  現在値が変動した地点に分岐点１を設定する。
［請求項３］  直近の売買注文の数量が増減した地点に分岐点１を設定する。
［請求項４］  気配値情報にて直近の買い注文数量が増減した地点に分岐点１を設定する。
［請求項５］  気配値情報にて直近の売り注文数量が増減した地点に分岐点１を設定する。
以上の５点を分岐点とします。
分岐点に入った地点の売り注文の数量と買い注文の数量を全体数量とした、売り注文の数量と買い注文の数量を割合で算出し、マーク化します。分岐点に入った地点に分岐点１を設定し、売り注文の数量と買い注文の数量を全体数量とした売り注文の数量の割合２を棒線の長さで表示し、売り注文の数量と買い注文の数量を全体数量とした買い注文の数量の割合３を棒線の長さで表示し、売り注文の数量の割合と買い注文の数量の割合ともに１ｍｍを１０％としてマークで表示します。気配値情報に分岐点を設けてマーク化することで株価の方向性を掴む為の研究資料として残すことができ、課題を解決することが出来ます。
【発明の効果】
【０００５】従来の気配値情報は株価の方向性を掴む為の資料として役立たせることができないという問題点がありますが気配値情報に分岐点を設けて気配値マーク５を使用することで気配値情報をマーク化したマークを使った図表を作ることで株価の方向性を掴む為の研究や判断材料の資料として残すことが出来るようになり、日計り取引をする投資家の環境が作られる。
以下、本発明の実施の形態について説明する。
（イ）現在値が一往復した地点１に分岐点を設定し、株価が一往復した地点で売り注文の数量と買い注文の数量を全体数量とし、売り注文の数量の割合２を棒線の長さで表示し、買い注文の数量の割合３を棒線の長さで表示します。
（ロ）現在値が変動した地点１に分岐点を設定し、現在値が変動した地点で売り注文の数量と買い注文の数量を全体数量とし、売り注文の数量の割合２を棒線の長さで表示し、買い注文の数量の割合３を棒線の長さで表示します。
（ハ）直近の売買注文数量が増減した地点１に分岐点を設定し、直近の売買注文数量が増減した地点で売り注文の数量と買い注文の数量を全体数量とし売り注文数量の割合２を棒線の長さで表示し、買い注文の数量の割合３を棒線の長さで表示します。
（ニ）直近の買い注文数量が増減した地点１に分岐点を設定し、直近の買い注文数量が増減した地点で売り注文の数量と買い注文の数量を全体数量とし売り注文数量の割合２を棒線の長さで表示し、買い注文の数量の割合３を棒線の長さで表示します。
（ホ）直近の売り注文数量が増減した地点１に分岐点を設定し、直近の売り注文数量が増減した地点で売り注文の数量と買い注文の数量を全体数量とし売り注文数量の割合２を棒線の長さで表示し、買い注文の数量の割合３を棒線の長さで表示します。
（ヘ）図表の中に時系列に並べた気配値情報をマーク化したマーク５を図表の中に入れ、右側の株価７を配列させて、時間８を配列させる。
【実施例１】
【０００６】
2006350972.tif 000001
配信元の気配値情報をベースとして気配値の売り注文の数量と買い注文の数量を割合で算出し、マーク化します。上記の気配値情報をご覧ん頂きたいと思います。Ａの気配値情報を確認すると現在値６７１円となっています。Ｂの気配値情報を確認すると現在値６７２円となっています。Ｃの気配値情報を確認すると現在値６７１円となっています。このように株価が一往復した地点に分岐点１を設定し、売り注文の数量と買い注文の数量を全体数量とした売り注文の数量の割合２を棒線の長さで表示し、売り注文の数量と買い注文の数量を全体数量とした買い注文の数量の割合３を棒線の長さで表示し、売り注文の数量の割合と買い注文の数量の割合ともに１ｍｍを１０％として気配値情報をマーク化します。
【実施例２】
【０００７】
2006350972.tif 000002
配信元の気配値情報をベースとして気配値の売り注文の数量と買い注文の数量を割合で算出しマーク化します。上記の気配値情報をご覧ん頂きたいと思います。Ａの気配値情報を確認すると現在値６７１円となっています。Ｂの気配値情報を確認すると現在値６７２円となっています。このように現在値が変動した地点に分岐点１を設定し、売り注文の数量と買い注文の数量を全体数量とした売り注文の数量の割合２を棒線の長さで表示し、売り注文の数量と買い注文の数量を全体数量とした買い注文の数量の割合３を棒線の長さで表示し、売り注文の数量の割合と買い注文の数量の割合ともに１ｍｍを１０％として気配値情報をマーク化します。
【実施例３】
【０００８】
2006350972.tif 000003
配信元の気配値情報をベースとして気配値の売り注文の数量と買い注文の数量を割合で算出しマーク化します。上記の気配値情報をご覧ん頂きたいと思います。Ａの気配値情報の直近の売り注文数量を確認すると３，０００となっています。直近の買い注文の数量を確認すると１７，０００となっています。Ｂの気配値情報の直近の売り注文数量を確認すると１２，０００となっています。直近の買い注文の数量を確認すると１，０００となっています。このように直近の売買注文の数量が増減した地点に分岐点１を設定し、売り注文の数量と買い注文の数量を全体数量とした売り注文の数量の割合２を棒線の長さで表示し、売り注文の数量と買い注文の数量を全体数量とした買い注文の数量の割合３を棒線の長さで表示し、売り注文の数量の割合と買い注文の数量の割合ともに１ｍｍを１０％として気配値情報をマーク化します。
【実施例４】
【０００９】
2006350972.tif 000004
配信元の気配値情報をベースとして気配値の売り注文の数量と買い注文の数量を割合で算出しマーク化します。上記の気配値情報をご覧ん頂きたいと思います。Ｂの気配値情報の直近の買い注文数量を確認すると１７，０００となっています。Ｃの気配値情報の直近の買い注文数量を確認すると１，０００となっています。このように直近の買い注文の数量が増減した地点に分岐点１を設定し、売り注文の数量と買い注文の数量を全体数量とした売り注文の数量の割合２を棒線の長さで表示し、売り注文の数量と買い注文の数量を全体数量とした買い注文の数量の割合３を棒線の長さで表示し、売り注文の数量の割合と買い注文の数量の割合ともに１ｍｍを１０％として気配値情報をマーク化します。
【実施例５】
【００１０】
2006350972.tif 000005
配信元の気配値情報をベースとして気配値の売り注文の数量と買い注文の数量を割合で算出しマーク化します。上記の気配値情報をご覧ん頂きたいと思います。Ａの気配値情報の直近の売り注文数量を確認すると３、０００となっています。Ｂの気配値情報の直近の売り注文数量を確認すると１２，０００となっています。このように直近の売り注文の数量が増減した地点に分岐点１を設定し、売り注文の数量と買い注文の数量を全体数量とした売り注文の数量の割合２を棒線の長さで表示し、売り注文の数量と買い注文の数量を全体数量とした買い注文の数量の割合３を棒線の長さで表示し、売り注文の数量の割合と買い注文の数量の割合ともに１ｍｍを１０％として気配値情報をマーク化します。
【実施例６】
【００１１】  気配値情報をマーク化したマーク５を時系列に並べて右側に株価７を配列させて、下側に時間８を配列したものを図表とします。
【図面の簡単な説明】
【００１２】
【図１】現在値が一往復した地点に分岐点を設定したマーク
【図２】現在値が変動した地点に分岐点を設定したマーク
【図３】直近の売買注文数量が増減した地点に分岐点を設定したマーク
【図４】直近の買い注文数量が増減した地点に分岐点を設定したマーク
【図５】直近の売り注文数量が増減した地点に分岐点を設定したマーク
【図６】現在値が一往復した地点に分岐点を設定したマークを使用した図表
【図７】現在値が変動した地点に分岐点を設定したマークを使用した図表
【図８】直近の売買注文数量が増減した地点に分岐点を設定したマークを使用した図表
【図９】直近の買い注文数量が増減した地点に分岐点を設定したマークを使用した図表
【図１０】直近の売り注文数量が増減した地点に分岐点を設定したマーク使用した図表
【符号の説明】
【００１３】  １  分岐点（現在値が一往復した地点）
２  売り注文の数量と買い注文の数量を全体数量とした売り数量の割合
３  売り注文の数量と買い注文の数量を全体数量とした買い数量の割合
４  図表本体
５  直近の売買注文数量が増減した地点に分岐点を設定したマーク
６  株価
７  時間
【００１４】  １  分岐点（現在値が変動した地点）
２  売り注文の数量と買い注文の数量を全体数量とした売り数量の割合
３  売り注文の数量と買い注文の数量を全体数量とした買い数量の割合
４  図表本体
５  直近の売買注文数量が増減した地点に分岐点を設定したマーク
６  株価
７  時間
【００１５】  １  分岐点（直近の売買注文数量が増減した地点）
２  売り注文の数量と買い注文の数量を全体数量とした売り数量の割合
３  売り注文の数量と買い注文の数量を全体数量とした買い数量の割合
４  図表本体
５  直近の買い注文の数量画増減した地点に分岐点を設定したマーク
６  株価
７  時間
【００１６】  １  分岐点（直近の買い注文数量が増減した地点）
２  売り注文の数量と買い注文の数量を全体数量とした売り数量の割合
３  売り注文の数量と買い注文の数量を全体数量とした買い数量の割合
４  図表本体
５  直近の売り注文の数量画増減した地点に分岐点を設定したマーク
６  株価
７  時間
【００１７】  １  分岐点（直近の売り注文数量が増減した地点）
２  売り注文の数量と買い注文の数量を全体数量とした売り数量の割合
３  売り注文の数量と買い注文の数量を全体数量とした買い数量の割合
４  図表本体
５  直近の売買注文数量が増減した地点に分岐点を設定したマーク
６  株価
７  時間
【手続補正３】
【補正対象書類名】図面
【補正対象項目名】全図
【補正方法】変更
【補正の内容】
【図１】
2006350972.tif 000006
【図２】
2006350972.tif 000007
【図３】
2006350972.tif 000008
【図４】
2006350972.tif 000009
【図５】
2006350972.tif 000010
【図６】
2006350972.tif 000011
【図７】
2006350972.tif 000012
【図８】
2006350972.tif 000013
【図９】
2006350972.tif 000014
【図１０】
2006350972.tif 000015